(57)【要約】【課題】データ伝送装置及びデータ伝送方法に関し、バックドリル処理を省略して製造コスト削減を図る。【解決手段】送信側ＰＩＵ１と受信側ＰＩＵ２とをＢＷＢ３を介してコネクタ６，７により接続し、装置監視・制御部１１により、送信側ＰＩＵ１及び受信側ＰＩＵ２の監視及び制御を行うデータ伝送装置及びデータ伝送方法であって、装置監視・制御部１１は、ＢＷＢ３の複数の配線８対応に、その伝送特性を格納した回線品質テーブル１３と、送信側ＰＩＵ１の各回線の伝送速度と優先度との要求に従った伝送特性のＢＷＢ３の各配線８を、トラフィック管理部９により割り付ける処理を行うトラフィック管理制御部１２とを含む構成を備えている。【選択図】図１
2011035527.tif 000002
【特許請求の範囲】
【請求項１】
送信側プラグインユニットと受信側プラグインユニットとをバックワイヤリングボードを介してコネクタ接続し、装置監視・制御部により前記送信側プラグインユニット及び前記受信側プラグインユニットの監視及び制御を行うデータ伝送装置に於いて、
前記装置監視・制御部は、前記バックワイヤリングボードの複数の配線の伝送特性を格納した回線品質テーブルと、前記送信側プラグインユニットの各回線の伝送速度と優先度との要求に従った伝送特性の前記バックワイヤリングボードの配線を割り付ける処理を行うトラフィック管理制御部とを備えた
ことを特徴とするデータ伝送装置。
【請求項２】
前記装置監視・制御部の前記回線品質テーブルは、前記バックワイヤリングボードの複数の配線対応の伝送速度とエラーレートとを記録したバックワイヤリングボード性能テーブルと、顧客要求サービスフロー対応の優先順位を設定した品質サービステーブルとを含む構成を有することを特徴とする請求項１記載のデータ伝送装置。
【請求項３】
前記送信側プラグインユニットのトラフィック管理制御部は、前記装置監視・制御部の制御により、前記バックワイヤリングボードの配線の伝送速度と優先度とに基づいて、同一優先度の複数の回線の伝送速度の和が、前記バックワイヤリングボードの配線の伝送速度を超えないように多重化設定を行う制御手段を含むことを特徴とする請求項１又は２記載のデータ伝送装置。
【請求項４】
送信側プラグインユニットと受信側プラグインユニットとをバックワイヤリングボードを介してコネクタ接続し、装置監視・制御部により前記送信側プラグインユニット及び前記受信側プラグインユニットの監視及び制御を行うデータ伝送方法に於いて、
前記バックワイヤリングボードの複数の配線の伝送特性を回線品質テーブルに格納し、前記送信側プラグインユニットの各回線の伝送速度と優先度との要求に従った伝送特性の前記バックワイヤリングボードの配線を割り付ける処理過程を含む
ことを特徴とするデータ伝送方法。
【請求項５】
前記装置監視・制御部の前記回線品質テーブルに、バックワイヤリングボードの複数の配線対応の伝送速度とエラーレートとを記録したバックワイヤリングボード性能テーブルと、顧客要求サービスフロー対応の優先順位を設定した品質サービステーブルとを形成し、前記送信側プラグインユニットの回線対応に、顧客要求サービスフローの優先順位と伝送速度とを基に、前記品質サービステーブルを参照して、前記バックワイヤリングボードの複数の配線と前記送信側プラグインユニットの回線を割り付ける処理過程を含むことを特徴とする請求項４記載のデータ伝送方法。
【発明の詳細な説明】
【技術分野】
【０００１】
本発明は、送信部と受信部との間を、バックワイヤリングボード（ＢＷＢ）を介して接続し、サービス要求レベルに対応してバックワイヤリングボードの配線の割当てを行って高速データ伝送処理を行うデータ伝送装置及びデータ伝送方法に関する。
【背景技術】
【０００２】
近年、高速且つ大容量のデータ伝送の要望に従った各種のデータ伝送システムやデータ伝送方法が提案されている。図７は、一般的なインターネット接続サービスを提供するデータ伝送システムの概略を示すもので、一般的な加入者を収容したアクセス網１０１とメトロ／コア網１０２との間をレイヤ２スイッチ（Ｌ２ＳＷ）１０３を介して接続し、このメトロ／コア網１０２とレイヤ２スイッチ１０４を介して上位レイヤ１０５，１０６との間を接続した概略構成を示す。アクセス網１０１は、Ｇ−ＰＯＮ等による１０Ｍ／１００Ｍ／１Ｇ（ｂｐｓ）の伝送速度の回線を含み、メトロ／コア網１０２は、ＡＤＭ（Ａｄｄ  Ｄｒｏｐ  Ｍｕｌｔｉｐｌｅｘｅｒ），ＷＤＭ（Ｗａｖｅｌｅｎｇｔｈ  Ｄｉｖｉｓｉｏｎ  Ｍｕｌｔｉｐｌｅｘｉｎｇ），ＲＯＡＤＭ（Ｒｅｃｏｎｆｉｇｕｒａｂｌｅ  Ｏｐｔｉｃａｌ  Ａｄｄ  Ｄｒｏｐ  Ｍｕｌｔｉｐｌｅｘｅｒ）等の機能を有する伝送装置を含むものである。又上位レイヤ１０５は、ネットワーク  サービス  レイヤ（ＮＳＬ；Ｎｅｔｗｏｒｋ  Ｓｅｒｖｉｃｅ  Ｌａｙｅｒ）、上位レイヤ１０６は、アプリケーション  サービス  レイヤ（ＡＳＬ；Ａｐｐｌｉｃａｔｉｏｎ  Ｓｅｒｖｉｃｅ  Ｌａｙｅｒ）の場合を示す。
【０００３】
又アクセス網１０１やメトロ／コア網１０２には各種のデータ伝送装置を含むものであり、図８はデータ伝送装置の説明図であり、同図の（Ａ）はデータ伝送装置の要部の外観斜視図、（Ｂ）はデータ伝送装置の要部の内部斜視図を示す。データ伝送装置は、図８の（Ａ）に示すように、複数のプリント基板をシェルフに搭載して構成する場合が一般的であり、各プリント基板は、各種の機能を有する半導体集積回路や他の回路部品を搭載して構成され、シェルフの所定の位置、又は任意の位置に挿入することにより、コネクタ接続が行われるプラグインユニット（ＰＩＵ；Ｐｌｕｇ  Ｉｎ  Ｕｎｉｔ）構成を有し、バックワイヤリングボード（ＢＷＢ；Ｂａｃｋ  Ｗｉｒｉｎｇ  Ｂｏａｒｄ）の配線によって、プリント基板相互間の接続が行われる。
【０００４】
例えば、図８の（Ｂ）に示すように、プリント基板上に半導体集積回路等による送信デバイス１１４とコネクタ１１５とを含む構成の送信側ＰＩＵ１１１と、プリント基板上に半導体集積回路などによる受信デバイス１１６とコネクタ１１７とを含む構成の受信側ＰＩＵ１１２とを、筐体のスロットに挿入することにより、バックワイヤリングボード（以下「ＢＷＢ」と略称する）１１３に形成した配線１１８によって相互間を接続することができる。ＢＷＢ１１３は、通常は多層配線構成を有し、Ｇｂｐｓ程度の高速伝送を行う場合は、低誘電率且つ低誘電体損の絶縁基板により構成されている。
【０００５】
図９は、従来例のデータ伝送装置の要部ブロック図であり、図８と同一符号は同一名称部分を示し、１１９は装置監視・制御部、１２１，１２２はトラフィック管理部、１２３はエラー監視部、１２４はトラフィック管理制御部、１２５はＯＰＳ（Ｏｐｅｒａｔｉｎｇ  Ｓｙｓｔｅｍ）部を示す。送信側ＰＩＵ１１１と受信側ＰＩＵとはＢＷＢ１１３の配線１１８を介して接続され、送信デバイス１１４と受信デバイス１１６との間は、ＢＷＢ１１３の配線１１８を介して５Ｇｂｐｓの速度でデータ伝送可能の構成を有し、送信側ＰＩＵ１１１に対して入力される回線１，２は、データ伝送速度２．５Ｇｂｐｓの低優先、回線３は、データ伝送速度２．５Ｇｂｐｓの高優先、回線４は、データ伝送速度６００Ｍｂｐｓの高優先とした場合を例示しており、ＢＷＢ１１３を介して送信側ＰＩＵ１１１から受信側ＰＩＵ１１２に対してデータ伝送を行う。又装置監視・制御部１１９は、トラフィック管理制御部１２４を有し、保守端末としてのＯＰＳ部１２５から、各回線の帯域設定や回線制御情報等を入力し、装置監視・制御部１１９のトラフィック管理制御部１２４により、送信側ＰＩＵ１１１のトラフィック管理部１２１を制御する。
【０００６】
図１０は、ＢＷＢ接続構成の説明図であり、図８と同一符号は同一名称部分を示す。又（Ａ），（Ｂ）は、ＢＷＢ１１３の接続多層配線の位置が異なる場合を示し、又（Ｃ）は一部拡大説明図である。ＢＷＢ１１３は、例えば、ガラス・エポキシ樹脂基板に４０層程度の多層配線層を形成する場合が多く、コネクタ１１５，１１７の接続ピンを挿入して配線と接続させる為のスルーホール内面はメッキが施され、所望の位置のスルーホールのメッキ層と、所望の位置の配線層とが接続され、コネクタの接続ピンをスルーホールに挿入することにより、送信側ＰＩＵ１１１と受信側ＰＩＵ１１２との間の接続が行われる。その場合の配線層は、例えば、図１０の（Ａ）の配線層１１８ａに比較して、（Ｂ）の配線層１１８ｂは裏面に近い位置の場合を示している。
【０００７】
又同図（Ｃ）の一部拡大説明図に於いて、１１５ａはコネクタ１１５の接続ピン、１１８−１〜１１８−４はＢＷＢ１１３の配線層、１１８Ｍはスルーホール内面に施したメッキ層を示し、このメッキ層１１８Ｍと配線層１１８−１とを接続している状態を示す。従って、コネクタ１１５の接続ピン１１５ａが、メッキ層１１８を介して配線層１１８−１に接続していることになる。この接続構成に於いては、長さＬ１のスタブ（ｓｔｕｂ）が配線層１１８−１と接続ピン１１５ａとの接続経路に形成されていることになる。又点線で示す配線層１１８−４がメッキ層１１８Ｍに接続されている場合は、長さＬ２のスタブが接続されていることになる。即ち、接続ピン１１５ａによって、同図の（Ａ）の配線層１１８ａに接続した場合の構成は、同図の（Ｂ）の配線層１１８ｂに接続した場合の構成に比較してスタブが長くなる。
【０００８】
一般的には、スタブが長くなると、数Ｇｂｐｓ程度の高速伝送の場合、マイクロ波信号伝送の場合と同様に、伝送特性が低下して、受信信号の波形歪みの問題が発生し、ＢＷＢ１１３による送信側ＰＩＵ１１１と受信側ＰＩＵ１１２との間のデータ伝送に於いて、エラー発生となる場合がある。従って、図８に示すように、エラー監視部１２３を設けて、監視することが必要となる。このＢＷＢ１１３に於けるスタブの影響を緩和する為に、バックドリルの手段を適用することが知られている。このバックドリル処理は、例えば、図１０の（Ｃ）に於けるスルーホールのメッキ層１１８Ｍを裏面からドリルによって除去する処理で、スタブ長を０又は無視できる程度まで短くすることにより、伝送波形の歪み発生を抑制することができる。
【０００９】
例えば、データ伝送速度が６００Ｍｂｐｓ，２．５Ｇｂｐｓ，５Ｇｂｐｓの場合について、図１０の（Ａ）に示す長いスタブの場合のエラーレートが、それぞれデータ伝送速度に応じて、１０−１２，１０−１１，１０−９、又図１０の（Ｂ）に示すような短いスタブの場合は、データ伝送速度に応じて、エラーレートが１０−１２，１０−１２，１０−１１の場合に、バックドリルを実施すると、各伝送速度に於いて、長いスタブであった場合も短いスタブであった場合も、それぞれ１０−１２のエラーレートとなり、伝送品質の改善を行うことができる。
【００１０】
又データ伝送に於ける複数回線のそれぞれの要求品質（ＱｏＳ；Ｑｕａｌｉｔｙ  ｏｆ  Ｓｅｒｖｉｃｅ）に応じた伝送制御を行うシステムが各種知られている。その場合、ＱｏＳテーブルにより、ＬＡＮ（Ｌｏｃａｌ  Ａｒｅａ  Ｎｅｔｗｏｒｋ）側からＷＡＮ（Ｗｉｄｅ  Ａｒｅａ  Ｎｅｔｗｏｒｋ）側へデータ伝送する場合、各回線の伝送帯域や重要度等の情報を管理し、そのＱｏＳテーブルに従ってトラフィックの優先制御を行うデータ伝送装置が提案されている（例えば、特許文献１参照）。
【先行技術文献】
【特許文献】
【００１１】
【特許文献１】特開２００７−１１６２８４号公報
【発明の概要】
【発明が解決しようとする課題】
【００１２】
前述の従来例のデータ伝送装置に於ける送信側ＰＩＵ１１１と受信側ＰＩＵ１１２との間を接続するＢＷＢ１１３の伝送特性を改善する為にバックドリルを施す手段は、コネクタの接続ピンと、ＢＷＢ１１３の配線層との接続形態に応じた深さであることが必要であり、このような接続配線層の位置の情報を基に、バックドリルを施す深さを正確に設定制御することが必要である。従って、接続ピン数が多くなる程、バックドリル処理に要するコストが上昇する問題がある。このようなバックドリル処理による製品コストが約２０％上昇する場合が一般的であって、データ伝送装置のコストアップの一つ要因となっている問題がある。又前述の特許文献１には、回線の要求品質に対応したトラフィックの優先制御を行うことにより、伝送特性の改善を図ることができるが、前述のＢＷＢのバックドリル処理に於ける問題点については開示されていない。
【００１３】
本発明は、前述のデータ伝送装置のＢＷＢに於けるバックドリル処理を省略してコストダウンを図り、且つ要求回線品質を維持可能とするものである。
【課題を解決するための手段】
【００１４】
本発明のデータ伝送装置は、送信側プラグインユニットと受信側プラグインユニットとをバックワイヤリングボードを介してコネクタ接続し、装置監視・制御部により、送信側プラグインユニット及び受信側プラグインユニットの監視及び制御を行うデータ伝送装置であって、装置監視・制御部は、バックワイヤリングボードの複数の配線の伝送特性を格納した回線品質テーブルと、送信側プラグインユニットの各回線の伝送速度と優先度との要求に従った伝送特性のバックワイヤリングユニットの配線を割り付ける処理を行うトラフィック管理制御部とを含む構成を備えている。
【００１５】
又前記装置監視・制御部の回線品質テーブルは、バックワイヤリングボードの複数の配線対応の伝送速度とエラーレートとを記録したバックワイヤリングボード性能テーブルと、顧客要求サービスフロー対応の優先順位を設定した品質サービステーブルとを含む構成を有するものである。
【００１６】
又前記送信側プラグインユニットのトラフィック管理制御部は、装置監視・制御部の制御により、バックワイヤリングボードの配線の伝送速度と優先度とに基づいて、同一優先度の複数の回線の伝送速度の和が、バックワイヤリングボードの配線の伝送速度を超えないように多重化設定を行う制御手段を含む構成を有するものである。
【００１７】
又本発明のデータ伝送方法は、送信側プラグインユニットと受信側プラグインユニットとをバックワイヤリングボードを介してコネクタ接続し、装置監視・制御部により前記送信側プラグインユニット及び前記受信側プラグインユニットの監視及び制御を行うデータ伝送方法であって、バックワイヤリングボードの複数の配線の伝送特性を回線品質テーブルに格納し、送信側プラグインユニットの各回線の伝送速度と優先度との要求に従った伝送特性のバックワイヤリングボードの配線を割り付ける処理過程を含むものである。
【００１８】
又前記装置監視・制御部の回線品質テーブルに、バックワイヤリングボードの複数の配線対応の伝送速度とエラーレートとを記録したバックワイヤリングボード性能テーブルと、顧客要求サービスフロー対応の優先順位を設定した品質サービステーブルとを形成し、送信側プラグインユニットの回線対応に、顧客要求サービスフローの優先順位と伝送速度とを基に、品質サービステーブルを参照して、バックワイヤリングボードの複数の配線と送信側プラグインユニットの回線を割り付ける処理過程を含むものである。
【発明の効果】
【００１９】
送信側プラグインユニットと受信側プラグインユニットとを接続する為のバックワイヤリングボード（ＢＷＢ）に対するバックドリル処理を実施しないことにより、製造コストを大幅に削減し、バックドリル処理を実施しないことによるバックワイヤリングボードの各配線の伝送特性は、実測又はシミュレーションにより求めることができるから、回線品質テーブルのＢＷＢ性能テーブルとして格納し、送信側プラグインユニットの回線対応に要求される伝送速度と優先度とを含む要求に従って、バックワイヤリングボードの配線を割り付けることにより、顧客の要求に従った伝送特性でデータ伝送することができる。
【図面の簡単な説明】
【００２０】
【図１】本発明の実施例１の説明図である。
【図２】本発明の実施例１のバックワイヤリングボード接続の概略説明図である。
【図３】本発明の実施例１の回線品質デーブルの説明図である。
【図４】本発明の実施例１のフローチャートである。
【図５】本発明の実施例１のフローチャートである。
【図６】トラフィック管理部の機能の概要説明図である。
【図７】データ伝送システムの説明図である。
【図８】データ伝送装置の外観及び要部分解斜視図である。
【図９】従来例のデータ伝送装置の説明図である。
【図１０】バックワイヤリングボードの説明図である。
【発明を実施するための形態】
【００２１】
本発明のデータ伝送装置は、図１を参照して説明すると、送信側プラグインユニット１と受信側プラグインユニット２とをバックワイヤリングボード３を介してコネクタ接続し、装置監視・制御部１１により、送信側プラグインユニット１及び受信側プラグインユニット２の監視及び制御を行うデータ伝送装置であって、装置監視・制御部１１は、バックワイヤリングボード３の複数の配線８の伝送特性を格納した回線品質テーブル１３と、送信側プラグインユニットの各回線の伝送速度と優先度との要求に従った伝送特性のバックワイヤリングユニットの配線を割り付ける処理を行うトラフィック管理制御部１２とを含む構成を備えている。
【００２２】
本発明のデータ伝送方法は、送信側プラグインユニット１と受信側プラグインユニット２とをバックワイヤリングボード３を介してコネクタ接続し、装置監視・制御部１１により送信側プラグインユニット１及び受信側プラグインユニット２の監視及び制御を行うデータ伝送方法であって、バックワイヤリングボード３の複数の配線８の伝送特性を回線品質テーブル１３に格納し、送信側プラグインユニット１の各回線の伝送速度と優先度との要求に従った伝送特性のバックワイヤリングボード３の配線８を割り付ける処理過程を含むものである。
【実施例１】
【００２３】
図１は、本発明の実施例１の説明図であり、１は送信側プラグインユニット（送信側ＰＩＵ；Ｐｌｕｇ  Ｉｎ  Ｕｎｉｔ）、２は受信側プラグインユニット（受信側ＰＩＵ；Ｐｌｕｇ  Ｉｎ  Ｕｎｉｔ）、３はＢＷＢ（バックワイヤリングボード；Ｂａｃｋ  Ｗｉｒｉｎｇ  Ｂｏａｒｄ）、４は送信デバイス、５は受信デバイス、６，７はコネクタ、８は配線、９，１０はトラフィック管理部、１１は装置監視・制御部、１２はトラフィック管理制御部、１３は回線品質テーブル、１４はＯＰＳ（Ｏｐｅｒａｔｉｎｇ  Ｓｙｓｔｅｍ）部を示す。回線品質テーブル１３は、ＢＷＢ性能テーブルと品質サービステーブルとを含み、ＢＷＢ性能テーブルは、ＢＷＢ３のバックドリル処理を行わない構成に於けるエラーレート等の伝送特性を、設計データを基にシミュレーションした結果を配線８対応に格納した構成を有し、品質サービステーブルは、高、中、低のサービスフローに対する品質優先順位を格納した構成を有する。又トラフィック管理部９は、送信側ＰＩＵ１の回線とＢＷＢ３の配線８との間の選択接続制御手段を備え、又トラフィック管理部１０は、伝送路側の回線とＢＷＢ３の配線８との間の選択接続制御手段を備えている
【００２４】
送信側ＰＩＵ１に接続された例えば図示の回線１〜回線６について、伝送速度と優先度とが、例えば、回線１は２．５Ｇｂｐｓ且つエラーフリーの高優先、回線２は２．５Ｇｂｐｓ且つ低優先（１０−９程度のエラーレートを許容）、回線３は１Ｇｂｐｓ且つ高優先、回線４は１Ｇｂｐｓ且つ高優先、回線５は１Ｇｂｐｓ且つ低優先、回線６は１Ｇｂｐｓ且つ低優先の伝送特性の要求があった場合、この情報は、ＯＰＳ部１４による入力設定によって回線品質テーブル１３に格納される。又トラフィック管理部９，１０の選択接続制御手段は、装置監視・制御部１１のトラフィック管理制御部１２により、回線品質テーブル１３の内容を参照して制御することにより、要求伝送品質を満足する伝送品質のＢＷＢ３の配線８を割り付ける。例えば、ＢＷＢ３の５Ｇｂｐｓの回線に、高優先の回線１，３，４を割り付けると、回線１，３，４の合計帯域は４．５Ｇｂｐｓとなり、同様に、低優先の回線２，５，６を割り付けると、合計帯域は４．５Ｇｂｐｓとなる。この場合、トラフィック管理部９は、回線品質テーブル１３に設定された回線１〜６の要求伝送特性に対応して多重化伝送を行う構成を設けて、回線の割り付け処理を行うことができる。この場合、受信側ＰＩＵ２のトラフィック管理部１０は、伝送路側の回線に振り分ける構成を設ける。それにより、バックドリル処理を施さないＢＷＢ３の配線の特性に対応した送信側ＰＩＵ１の回線を割り付けて受信側ＰＩＵ２との間でデータ伝送が可能となる。
【００２５】
図２は、バックワイヤリングボード接続の概略説明図であり、図１と同一符号は同一名称部分を示し、トラフィック管理部９と送信デバイス４とを含む構成の送信側ＰＩＵ１と、トラフィック管理部１０と受信デバイス５とを含む構成の受信側ＰＩＵ２とをそれぞれコネクタ６，７により、ＢＷＢ３に接続し、送信側ＰＩＵ１の入力側の回線１〜回線ｎと、ＢＷＢ３の配線ＬＩＮＥ１〜ＬＩＮＥｎとをトラフィック管理部９の選択接続制御手段により、伝送要求品質を満足するように選択接続し、受信側ＰＩＵ２のトラフィック管理部１０の選択接続制御手段によって、ＢＷＢ３の配線ＬＩＮＥ１〜ＬＩＮＥｎと伝送路の回線との間を、送信側ＰＩＵ１のトラフィック管理部９に於ける制御に対応した選択接続制御を行う。それにより、バックドリル処理を施さないＢＷＢ３の伝送特性に対応して、許容可能の伝送要求の回線１〜ｎを、ＢＷＢ３の配線ＬＩＮＥ１〜ＬＩＮＥｎの伝送品質に基づいて選択接続することにより、回線対応の伝送要求品質を満足するデータ伝送装置を提供することができる。従って、バックドリル処理を施さないことにより、製造コストを大幅に削減し、顧客の要求する伝送速度を含む伝送品質を確保して、データを伝送を行うことができる。
【００２６】
図３は、装置監視・制御部１１の回線品質テーブル１３（図１参照）の説明図であり、（Ａ）は回線品質（エラーレート）とＢＷＢ疎通限界速度との関係曲線図、（Ｂ）は顧客のサービスフロー（品質レベルの要求）と品質確保の優先順位との関係曲線図を示す。又（Ｃ）はＢＷＢ性能テーブル、（Ｄ）は品質サービステーブルのそれぞれ内容の一例を示し、これらのＢＷＢ性能テーブルと品質サービステーブルとを、装置監視・制御部１１の回線品質テーブル１３（図１参照）に形成するもので、例えば、ＯＰＳ部１４からの入力操作によって回線品質テーブル１３に各種データを設定制御することができる。なお、図示のエラーレートについて、例えば、１０＾−９は、１０−９を示し、又１０＾−１２は、１０−１２を示すものである。ＢＷＢ３に対するバックドリル処理を施さない状態の伝送特性は、多層配線の配線層の位置に対応したスタブ長となり、通常は、スタブが長い程、伝送特性が低下するから、シミュレーションによって、配線ＬＩＮＥ１〜ＬＩＮＥｎ対応の伝送特性を求めることができる。従って、図３の（Ｃ）に示すような配線（ＬＩＮＥ１〜ＬＩＮＥｎ）対応の伝送特性を示すＢＷＢ性能テーブルを作成することができる。例えば、配線ＬＩＮＥ１は、５Ｇｂｐｓの伝送速度ではエラーレート１０−１１、又２．５Ｇｂｐｓの伝送速度ではエラーレート１０−１２であり、配線ＬＩＮＥ２は、５Ｇｂｐｓの伝送速度ではエラーレート１０−１０、又２．５Ｇｂｐｓの伝送速度ではエラーレート１０−１１となる場合を示している。又図３の（Ａ）は、回線品質（エラーレート）を、１０−９〜１０−１２とし、ＢＷＢ疎通限界速度（ｂｐｓ）の５Ｇｂｐｓ〜６００Ｍｂｐｓとの関係の一例を示し、又図３の（Ｄ）の品質サービステーブルは、サービスフロー（品質レベル要求）と優先順位との関係を示すテーブルで、顧客の回線が専用線の場合、最高の優先順位であり、又ベストエフォート型（ＢＥ型）の中でも、顧客の要求特性に応じた優先順位を割り付ける為のテーブル内容とするもので、それらの関係曲線は、図３の（Ｂ）に示すように、専用線型サービス要求は、エラーフリーの特性の配線を割り付けることになる。
【００２７】
図４及び図５は、本発明の実施例１のフローチャートを示し、トラフィック管理制御部１２と、回線品質テーブル１３との処理内容を主とし、顧客の要求に対応した伝送特性のＢＷＢの配線を割り付ける手順を、ステップ（Ａ１）〜（Ａ１６）として示す。先ず、装置監視・制御部１１のトラフィック管理制御部１２は、ＯＰＳ部１４から帯域設定情報及び回線重要度情報の入力により（Ａ１）、回線品質テーブル１３の品質サービステーブル（図３の（Ｄ）参照）から、顧客サービスフロー（回線重要度）に対応するサービス優先度を抽出し（Ａ２）、各回線のサービス優先度の総容量（同一優先度の回線の伝送速度の和）を算出し（Ａ３）、ＢＷＢ性能テーブル（図３の（Ｃ）参照）から、総容量が顧客サービスフローを満足するＢＷＢ配線を抽出し（Ａ４）、その総容量が顧客サービスフローを満足するＢＷＢ配線の有無を判定する（Ａ５）。その判定結果、満足できない場合は、一部の回線を別のＢＷＢ配線に割り付ける処理を行って（Ａ６）、前のステップ（Ａ４）に戻る。又ステップ（Ａ５）の処理結果、満足する場合、次の優先度の回線の処理に移行し（Ａ７）、ステップ（Ａ３）と同様に、各回線のサービス優先度の総容量を算出する（Ａ８）。
【００２８】
次にステップ（Ａ９）に移行する。このステップ（Ａ９）は、ステップ（Ａ４）と同様の処理ステップであり、それ以降のステップ（Ａ１０）〜（Ａ１５）は、優先度対応ではあるが、前述のステップ（Ａ５）〜（Ａ８）と同様のステップを繰り返す。そして、各優先度回線についての処理の完了により、装置監視・制御部１１の回線品質テーブル１３の設定が完了し、トラフィック管理部１１のトラフィック管理制御部１２は、設定完了の回線品質テーブル１３の内容を基に、トラフィック管理部９，１０を制御し、ＢＷＢ３の配線８に対する回線の割付処理を実施する。
【００２９】
図６は、トラフィック管理部の機能の概要説明図であり、パケット伝送を行う場合の機能であって、送信側ＰＩＵのトラフィック管理部９は、Ｃｌａｓｓｉｆｙ部３１とＰｏｌｉｃｅｒ部３２とＱｕｅｕｉｎｇ部３３とＳｃｈｅｄｕｌｉｎｇ部３４とを含む機能を備え、受信側ＰＩＵのトラフィック管理部１０は、Ｑｕｅｕｉｎｇ部３５とＳｃｈｅｄｕｌｉｎｇ部３６とを含む機能を備えている。なお、各部で行う処理の要点は、図示のような内容であり、ＷＲＥＤは、Ｗｅｉｇｈｔｅｄ  Ｒａｎｄｏｍ  Ｅａｒｌｙ  Ｄｅｔｅｃｔｉｏｎの略であり、予め設定された閾値に従って、キューの輻輳が発生しそうな時に、パケットの優先度が低い方から順に廃棄処理し、優先度の高いパケットの伝送を確保する機能であって、パケット伝送手段の１機能として知られている。
【符号の説明】
【００３０】
１  送信側ＰＩＵ（Ｐｌｕｇ  Ｉｎ  Ｕｎｉｔ）
２  受信側ＰＩＵ（Ｐｌｕｇ  Ｉｎ  Ｕｎｉｔ）
３  ＢＷＢ（Ｂａｃｋ  Ｗｉｒｉｎｇ  Ｂｏａｒｄ）
４  送信デバイス
５  受信デバイス
６,７  コネクタ
８  配線
９，１０  トラフィック管理部
１１  装置監視・制御部
１２  トラフィック管理制御部
１３  回線品質テーブル
１４  ＯＰＳ（Ｏｐｅｒａｔｉｎｇ  Ｓｙｓｔｅｍ）部
【図１】
2011035527.tif 000003
【図２】
2011035527.tif 000004
【図３】
2011035527.tif 000005
【図４】
2011035527.tif 000006
【図５】
2011035527.tif 000007
【図６】
2011035527.tif 000008
【図７】
2011035527.tif 000009
【図８】
2011035527.tif 000010
【図９】
2011035527.tif 000011
【図１０】
2011035527.tif 000012